(57)【要約】      （修正有）【課題】使用者の必要に応じて前記箱体の型式と数量、排列位置を自由にアレンジして組み立てられる、組立式冷蔵庫を提供する。【解決手段】メインボックス２と複数の連結固定装置５で連結された箱体３を含み、メインボックスと複数の箱体間は通気管路４を経由してコンプレッサとファンが設置されたメインボックスの発生する低温気体を各箱体内に送り込み、且つ再度メインボックスに循環させ降温させる。【選択図】図３
0003169680.tif 000002
【実用新案登録請求の範囲】
【請求項１】
組立式冷蔵庫であって、低温気体を発生するために用いられるメインボックスと、少なくとも１つまたは１つ以上の箱体と、１つ以上の通気孔と、１つ以上の通気管路を含み、
前記メインボックスは電気的に接続された前記メインボックスの機能を制御する制御パネルを備え、
前記箱体は前記メインボックスのいずれかの外表面に連結され、その内部に収容空間を備え、前記収容空間の内壁に外界と相通された１つ以上の通気孔が設けられ、且つ前記箱体の一側面にドアが設置され、
前記１つ以上の通気孔は前記メインボックス及び前記箱体上に設置され、前記メインボックスが発生する前記低温気体を前記箱体に進入させ、且つさらに循環させて前記メインボックス内に戻すために用いられ、
前記１つ以上の通気管路は前記１つ以上の通気孔に接続され、
そのうち、前記組立式冷蔵庫のメインボックスに１つ以上の箱体を自由に組み合わせ、使用者の必要に応じて前記箱体の型式と数量、排列位置を自由にアレンジして組み立てられるよう構成したことを特徴とする、
組立式冷蔵庫。
【請求項２】
前記制御パネルを前記メインボックスまたは前記箱体表面に設置する方式が、磁性吸着、凸型ストリップの溝部への嵌合、凹凸体の嵌合またはネジの螺合固定のうちのいずれかであることを特徴とする、請求項１に記載の組立式冷蔵庫。
【請求項３】
前記制御パネルと前記メインボックスの電気的接続が、第一接続ポートと第一接続スロットを介して達成されることを特徴とする、請求項１に記載の組立式冷蔵庫。
【請求項４】
前記第一接続ポートと前記第一接続スロットを前記メインボックスまたは前記制御パネルのあらゆる一面に設置できることを特徴とする、請求項３に記載の組立式冷蔵庫。
【請求項５】
前記メインボックス表面に前記第一接続ポートが設置され、前記第一接続スロットが前記制御パネルの前記第一接続スロットに相対する表面に設置されたことを特徴とする、請求項３に記載の組立式冷蔵庫。
【請求項６】
前記第一接続ポートと第一接続スロットの接続規格が、ＲＳ２３２接続規格、ＵＳＢ接続規格、ＰＳ／２接続規格、ＩＥＥＥ１３９４接続規格または関連の電気信号伝送接続規格のいずれかとすることができることを特徴とする、請求項４または５に記載の組立式冷蔵庫。
【請求項７】
前記メインボックスが少なくともコンプレッサとファンを含むことを特徴とする、請求項１に記載の組立式冷蔵庫。
【請求項８】
前記制御パネルがさらに前記箱体の表面に設置可能であることを特徴とする、請求項１に記載の組立式冷蔵庫。
【請求項９】
前記制御パネルと前記箱体の接触面に、電気信号伝送に用いることができる第一接続ポートと第一接続スロットをそれぞれ設けたことを特徴とする、請求項８に記載の組立式冷蔵庫。
【請求項１０】
前記箱体表面に前記第一接続スロットが設置され、前記第一接続ポートが前記制御パネルの前記第一接続スロットに相対する表面に設置されたことを特徴とする、請求項９に記載の組立式冷蔵庫。
【考案の詳細な説明】
【技術分野】
【０００１】
本考案は冷蔵庫に関し、特に、使用者が必要に応じて組み立て、取り外しが可能であり、また冷蔵庫のいずれの箱体前部にも制御パネルを設置でき、冷蔵庫の箱体数量を自ら決定することができる、組立式冷蔵庫に関するものである。
【背景技術】
【０００２】
従来の冷蔵庫は設計時にすべて１ドア片開き式冷蔵庫、２ドア観音開き式冷蔵庫または引き出し式冷蔵庫を主として設計され、上述の三種類を組み合わせたものが今日よく見受けられる冷蔵庫の形式となっている。
このような設計は使用者によって変更することができず、１ドア冷蔵庫は多種類のドアの開閉形式を提供する必要があるが、各種形式すべてが消費者の必要なものであるとは限らない。
冷蔵庫のより大きな収容空間は冷蔵庫全体の体積と重量の相対的増加を意味しており、冷蔵庫の製造コストが高くなり、またエネルギーの浪費にもつながるだけでなく、使用上も消費者のニーズを完全に満たすことはできない。
小型冷蔵庫は後に大型冷蔵庫に替えるとき余計な廃棄物が生まれることになってしまう。
特に、祭日などにはより大きな冷蔵庫に食品を保存する必要があり、また家族が増えるときや客人があるときも臨時により大きな冷蔵庫が必要となるが、頻繁に発生しない状況に対応するために事前に大きな冷蔵庫を購入することは、資源と空間の無駄を招く。
【考案の開示】
【考案が解決しようとする課題】
【０００３】
本考案の目的は、使用者が自ら冷蔵庫の冷蔵室と冷凍室の数量及び配置位置、冷蔵庫のドアの型態、冷蔵室を調整でき、複数の冷凍室と冷凍室を自由に重ねて排列し、組み立てることができる、組立式冷蔵庫を提供することにある。
【課題を解決するための手段】
【０００４】
本考案の組立式冷蔵庫は、メインボックスと複数の連結固定装置で連結された箱体を含み、前記メインボックスと複数の箱体間は通気管路でコンプレッサとファンが設置されたメインボックスの低温気体を各箱体内に送り込み、かつ循環させてメインボックスに戻すことができ、メインボックスを制御する制御パネルはメインボックス前またはいずれかの箱体前に設置することができ、これにより、メインボックスに異なる数量の箱体を組み合わせることができるため、必要に応じて箱体を適量に増減することができ、冷蔵庫の箱体を自ら増減して取り外したり、組み立てたりできると共に、空間形態に応じて冷蔵庫の排列方式と制御パネルの設置位置を調整することができる。
【０００５】
すなわち、本願の第１の考案は、組立式冷蔵庫であって、低温気体を発生するために用いられるメインボックスと、少なくとも１つまたは１つ以上の箱体と、１つ以上の通気孔と、１つ以上の通気管路を含み、そのうち、前記メインボックスは電気的に接続された前記メインボックスの機能を制御する制御パネルを備え、前記箱体は前記メインボックスのいずれかの外表面に連結され、その内部に収容空間を備え、前記収容空間の内壁に外界と相通された１つ以上の通気孔が設けられ、且つ前記箱体の一側面にドアが設置され、前記１つ以上の通気孔は前記メインボックス及び前記箱体上に設置され、前記メインボックスが発生する前記低温気体を前記箱体に進入させ、且つさらに循環させて前記メインボックス内に戻すために用いられ、前記１つ以上の通気管路は前記１つ以上の通気孔に接続され、そのうち、前記組立式冷蔵庫のメインボックスに１つ以上の箱体を自由に組み合わせ、使用者の必要に応じて前記箱体の型式と数量、排列位置を自由にアレンジして組み立てられるよう構成したことを特徴とする、組立式冷蔵庫を提供する。
本願の第２の考案は、前記制御パネルを前記メインボックスまたは前記箱体表面に設置する方式が、磁性吸着、凸型ストリップの溝部への嵌合、凹凸体の嵌合またはネジの螺合固定のうちのいずれかであることを特徴とする、前記第１の考案の組立式冷蔵庫を提供する。
本願の第３の考案は、前記制御パネルと前記メインボックスの電気的接続が、第一接続ポートと第一接続スロットを介して達成されることを特徴とする、前記第１の考案の組立式冷蔵庫を提供する。
本願の第４の考案は、前記第一接続ポートと前記第一接続スロットを前記メインボックスまたは前記制御パネルのあらゆる一面に設置できることを特徴とする、前記第３の考案の組立式冷蔵庫を提供する。
本願の第５の考案は、前記メインボックス表面に前記第一接続ポートが設置され、前記第一接続スロットが前記制御パネルの前記第一接続スロットに相対する表面に設置されたことを特徴とする、前記第３の考案の組立式冷蔵庫を提供する。
本願の第６の考案は、前記第一接続ポートと第一接続スロットの接続規格が、ＲＳ２３２接続規格、ＵＳＢ接続規格、ＰＳ／２接続規格、ＩＥＥＥ１３９４接続規格または関連の電気信号伝送接続規格のいずれかとすることができることを特徴とする、前記第４または第５の考案の組立式冷蔵庫を提供する。
本願の第７の考案は、前記メインボックスが少なくともコンプレッサとファンを含むことを特徴とする、前記第１の考案の組立式冷蔵庫を提供する。
本願の第８の考案は、前記制御パネルがさらに前記箱体の表面に設置可能であることを特徴とする、前記第１の考案の組立式冷蔵庫を提供する。
本願の第９の考案は、前記制御パネルと前記箱体の接触面に、電気信号伝送に用いることができる第一接続ポートと第一接続スロットをそれぞれ設けたことを特徴とする、前記第８の考案の組立式冷蔵庫を提供する。
本願の第１０の考案は、前記箱体表面に前記第一接続スロットが設置され、前記第一接続ポートが前記制御パネルの前記第一接続スロットに相対する表面に設置されたことを特徴とする、前記第９の考案の組立式冷蔵庫を提供する。
【考案を実施するための形態】
【０００６】
上述の目的及び効果を達するため、本考案が採用する技術手段及び構造について、以下図面と本考案の最良の実施例に基づき、その特徴と機能を詳細に説明する。
【０００７】
図１、図２、図３に本考案の最良の実施例の立体外観図、局部立体図、立体分解図をそれぞれ示す。
これらの図からはっきりと分かるように、本考案の組立式冷蔵庫１は少なくともメインボックス２、箱体３、通気管路４と連結固定装置５を含む。
【０００８】
そのうち、前記メインボックス２は外壁に吸気と排気に用いる少なくとも１つ以上の通気孔２０が設けられ、且つ前記メインボックス２の表面に制御パネル２１が設置され、制御パネル２１は磁性吸着、凸型ストリップの溝部への嵌合、凹凸体の嵌合、またはネジの螺合固定等の方式でメインボックス２またはいずれかの箱体３上に設置されるものとし、制御パネル２１とメインボックス２（または箱体３）の間の接触面に電気信号を伝送することができる第一接続ポート２１０と第一接続スロット２１１がそれぞれ設置される。
【０００９】
さらに、第一接続ポート(connecting port of controll pannel)２１０と第一接続スロット(connecting slot of controll pannel)２１１の接続規格はＲＳ２３２接続規格、ＵＳＢ接続規格、ＰＳ／２接続規格、ＩＥＥＥ１３９４接続規格または関連の電気信号伝送接続規格のいずれかとすることができ、同時に、制御パネル２１には制御信号を発生することができる制御スイッチ２１２と、制御回路２１３、ディスプレイパネル２１４が設置され、各箱体３内に設置されたセンサ（図示しない）により内部の温度と状態を検知することができる。
【００１０】
また、メインボックス２の内部は一般の冷蔵庫の構造とし、冷凍循環の低温気体を発生することができるコンプレッサと、低温気体を各箱体３に送ることができるファンが設置されるが、本考案では従来のコンプレッサと低温空気伝導技術を使用するため、ここでは説明を省略する。
【００１１】
前記箱体３は少なくとも１つまたは１つ以上設け、その外壁には少なくとも１つ以上の通気孔２０が設置され、通気孔２０と箱体３の収容空間３１が相通され、且つ箱体３の一側面にドア３２が設置され、ドア３２はスライド式、平開式、片開き式、引き出し式、観音開き式のいずれかとすることができる。
【００１２】
前記通気管路４は少なくとも１つ以上とし、且つ気体の流通に用いられる。
【００１３】
前記連結固定装置５はメインボックス２と箱体３の間の連結器であり、複数の連結部(receiving portion)５１と相対連結部(projecting portion)５２を備え、前記等連結部５１と前記等相対連結部５２の組み合わせ方式は、磁性吸着、凸型ストリップの溝部への嵌合または凹凸体の嵌合のいずれかとし、また前記連結固定装置５付近に複数の箱体３間でメインボックス２と電気信号の伝送に用いることができる第二接続ポート(connecting port for boxes)５３と第二接続スロット(connecting slot for boxes)５４が設けられ、メインボックス２と箱体３の連結部位の弾性的な配置に基づき、例えば水平や垂直に配置した連結方式とすることができる。そのうち、前記第二接続ポート５３と第二接続スロット５４間の線路は例えばL字形の方式で配置することができ、それにより箱体３間とメインボックス２とがL字形の配置を呈する環境に応用することができる。
【００１４】
前記第二接続ポート５３と第二接続スロット５４の接続規格はＲＳ２３２、ＵＳＢ、ＰＳ／２、ＩＥＥＥ１３９４または関連の電気信号伝送接続規格のいずれかとすることができる。
【００１５】
同時に図３、図４、図５に本考案の最良の実施例の立体分解図、組み立て例の立体図、組み立て後の立体図をそれぞれ示す。これらの図からはっきりと分かるように、この実施例の連結固定装置５の相対連結部５２と第二接続スロット５４はメインボックス２底部にそれぞれ設置され、連結固定装置５の連結部５１と第二接続ポート５３は箱体３上部にそれぞれ設置される。メインボックス２と箱体３を組み立てるときは、まずメインボックス２の底部を箱体３の上部に連結し、連結固定装置５の連結部５１を相対連結部５２に結合させ、且つ第二接続ポート５３を第二接続スロット５４に結合させる。続いて通気管路４の一端をメインボックス２の通気孔２０に接続し、他端を箱体３の通気孔２０に接続する。最後に、制御パネル２１の第一接続ポート２１０をメインボックス２の第一接続スロット２１１に接続し、本考案の組立式冷蔵庫１の組み立てが完了する。このとき、メインボックス２の低温気体が通気孔２０から通気管路４を通って前記箱体３内に進入し、且つもう一つの通気孔２０から使用済みの低温気体がメインボックス２へと循環される。
【００１６】
制御パネル２１でメインボックス２の状態を調整且つ表示することができ、即ち、制御スイッチ２１２を調整して制御信号を発生し、これを制御回路２１３へ伝送し、この信号に基づき制御回路２１３がメインボックス２内部のファン、コンプレッサ等の装置を制御して温度、湿度等低温気体の出力を調整する。且つ隨時制御パネル２１のディスプレイパネル２１４で状態を表示することができる。さらに上述の制御スイッチ２１２はボタンスイッチ、ディップスイッチ、トグルスイッチ、回転つまみスイッチ、無段階回転つまみ、タッチパネルまたはタッチ制御ディスプレイパネル２１４のいずれかとすることができ、上述のディスプレイパネル２１４は液晶ディスプレイとすることができる。
【００１７】
図３、図６に本考案の最良の実施例の立体分解図と組み立て例の立体図１を示す。これらの図からはっきりと分かるように、箱体３の表面に制御パネル２１が設置され、制御パネル２１は磁性吸着、凸型ストリップの溝部への嵌合、凹凸体の嵌合またはネジの螺合固定等の方式で箱体３に設置することができ、制御パネル２１と箱体３の接触面に電気信号の伝送に用いる第一接続ポート２１０と第一接続スロット２１１がそれぞれ設置される。
【００１８】
さらに、前記第一接続ポート２１０と第一接続スロット２１１の接続規格はＲＳ２３２、ＵＳＢ、ＰＳ／２、ＩＥＥＥ１３９４または関連の電気信号伝送接続規格のいずれかとすることができる。
【００１９】
制御パネル２１が箱体３に設置された後、制御スイッチ２１２が発生する制御信号伝送は、制御回路２１３、第一接続ポート２１０、第一接続スロット２１１、第二接続ポート５３と第二接続スロット５４を経由してメインボックス２に伝送され、或いは連結部５１と相対連結部５２間に電気的導通が形成されたとき、制御スイッチ２１２が発生する制御信号伝送が制御回路２１３、第一接続ポート２１０、第一接続スロット２１１、連結部５１と相対連結部５２を経由してメインボックス２に伝送されるようにしてもよく、これによりメインボックス２内部のファン、コンプレッサ等の装置に低温気体の温度や湿度等の出力を調整させることができ、且つ隨時制御パネル２１のディスプレイパネル２１４で状態を表示することができる。
【００２０】
図３、図７に本考案の最良の実施例の立体分解図と組み立て例の立体図２を示す。これらの図からはっきりと分かるように、前記連結固定装置５の相対連結部５２と第二接続スロット５４はメインボックス２の左側面（または右側面）にそれぞれ設置され、連結固定装置５の連結部５１と第二接続ポート５３は箱体３の右側面（または左側面）に設置され、メインボックス２と箱体３を組み立てるとき、まずメインボックス２の左側面（または右側面）を箱体３の右側面（または左側面）に連結し、連結固定装置５の連結部５１を相対連結部５２に結合させ、第二接続ポート５３を第二接続スロット５４に結合させる。続いて通気管路４の一端をメインボックス２の通気孔２０に接続し、他端を３の通気孔２０に接続する。最後に制御パネル２１の第一接続ポート２１０をメインボックス２の第一接続スロット２１１に接続し、本考案の組立式冷蔵庫１の組み立てが完了する。
【００２１】
図８、図９、図１０に本考案の別の最良の実施例の立体分解図、組み立て例の立体図と組み立て後の立体透視図をそれぞれ示す。これらの図からはっきりと分かるように、本考案の組立式冷蔵庫１はメインボックス２、２つの箱体３、複数の通気管路４と連結固定装置５を含んで構成され、これらの図においてはメインボックス２と箱体３間が垂直方式で組み立てられている。
【００２２】
メインボックス２と複数の箱体３の連結時は、連結固定装置５の相対連結部５２と第二接続スロット５４がメインボックス２、箱体３の底部にそれぞれ設置され、連結固定装置５の連結部５１と第二接続ポート５３が箱体３上部に設置され、メインボックス２と箱体３を組み立てるときは、まずメインボックス２の底部を箱体３の上部に連結し、上部にメインボックス２が連結された箱体３の底部を別の箱体３に連結し、連結固定装置５の連結部５１を相対連結部５２に結合させ、第二接続ポート５３を第二接続スロット５４に結合させる。続いて、前記等通気管路４の一端をメインボックス２の通気孔２０に接続し、他端を各箱体３の通気孔２０に接続する。最後に、制御パネル２１の第一接続ポート２１０をメインボックス２の第一接続スロット２１１に接続して本考案の組立式冷蔵庫１の組み立てが完了する。このとき、メインボックス２の低温気体が通気孔２０から通気管路４を経由して前記箱体３内に進入し、且つ別の通気孔２０から使用済みの低温気体がメインボックス２に循環される。
【００２３】
図１１に本考案の別の最良の実施例の組み立て例の立体図１を示す。そのうち、制御パネル２１はその他箱体３上に設置することができる。
【００２４】
図１２に本考案の別の最良の実施例の組み立て例の立体図２を示す。この図からはっきりと分かるように、メインボックス２と複数の箱体３は水平に排列することもできる。
【００２５】
同時に図８、図１２、図１３、図１４に本考案の別の最良の実施例の立体分解図と組み立て例の立体図２、３、４をそれぞれ示す。前述の図１２の横方向の排列と図１０の縦方向の排列のほか、さらにＬ字形、凹字形、凸字形等に組み立てることもできる。
【図面の簡単な説明】
【００２６】
【図１】本考案の最良の実施例の立体外観図である。
【図２】本考案の最良の実施例の局部立体図である。
【図３】本考案の最良の実施例の立体分解図である。
【図４】本考案の最良の実施例の組み立て例の立体図である。
【図５】本考案の最良の実施例の組み立て後の立体図である。
【図６】本考案の最良の実施例の組み立て例の立体図１である。
【図７】本考案の最良の実施例の組み立て例の立体図２である。
【図８】本考案の別の最良の実施例の立体分解図である。
【図９】本考案の別の最良の実施例の組み立て例の立体図である。
【図１０】本考案の最良の実施例の組み立て後の立体図である。
【図１１】本考案の別の最良の実施例の組み立て例の立体図１である。
【図１２】本考案の別の最良の実施例の組み立て例の立体図２である。
【図１３】本考案の別の最良の実施例の組み立て例の立体図３である。
【図１４】本考案の別の最良の実施例の組み立て例の立体図４である。
【符号の説明】
【００２７】
１        組立式冷蔵庫
２        メインボックス
２０      通気孔
２１      制御パネル
２１０    第一接続ポート
２１１    第一接続スロット
２１２    制御スイッチ
２１３    制御回路
２１４    ディスプレイパネル
３        箱体
３１      収容空間
３２      ドア
４        通気管路
５        連結固定装置
５１      連結部
５２      相対連結部
５３      第二接続ポート
５４      第二接続スロット
【図１】
0003169680.tif 000003
【図２】
0003169680.tif 000004
【図３】
0003169680.tif 000005
【図４】
0003169680.tif 000006
【図５】
0003169680.tif 000007
【図６】
0003169680.tif 000008
【図７】
0003169680.tif 000009
【図８】
0003169680.tif 000010
【図９】
0003169680.tif 000011
【図１０】
0003169680.tif 000012
【図１１】
0003169680.tif 000013
【図１２】
0003169680.tif 000014
【図１３】
0003169680.tif 000015
【図１４】
0003169680.tif 000016